(57)【要約】【課題】  機器に対する数値の入力をより少ない回数のキーの押下によって行うことができる入力装置及び画像形成装置を提供する。【解決手段】  入力装置２又は画像形成装置１に、ワンタッチキーとテンキーとを備えるユーザインターフェイス部２１と、部数を記憶する部数記憶部２２と、キー入力の状態を検出するキー入力状態管理部３５と、ワンタッチキーが押下された場合にはワンタッチキーの数値を部数記憶部２２に上書きし、テンキーが押下された場合には前記状態により、テンキーの数値を部数記憶部２２に上書きするか、部数記憶部２２に記憶されている数値を１桁繰り上がるようシフトして押下されたテンキーの数値をその最下桁とする部数設定部３４とを備える。【選択図】  図２
2005352957.tif 000002
【特許請求の範囲】
【請求項１】
予め定められた数値に対応付けられた入力キーを１つ以上備えるワンタッチ入力手段と、
０〜９の数値にそれぞれ対応付けられた１０個の入力キーを備えるテンキー入力手段と、
前記ワンタッチ入力手段又は／及び前記テンキー入力手段により入力された数値を記憶する記憶手段と、
前記ワンタッチ入力手段の入力キーが押下されたことを受け付けた場合に、前記記憶手段に既に記憶されている数値を消去して、押下されたワンタッチ入力手段の入力キーに対応付けられた数値を前記記憶手段に記憶させるワンタッチ数値設定手段と、
前記記憶手段に記憶されている数値が前記ワンタッチ入力手段又は前記テンキー入力手段により入力されたものではない第１の状態と、前記記憶手段に記憶されている数値が最後に前記ワンタッチ入力手段によって入力されたものである第２の状態とのいずれかの状態に本装置があるか否かを検出する状態検出手段と、
前記テンキー入力手段の入力キーが押下されたことを受け付けた場合で、且つ前記状態検出手段により前記第１又は第２の状態が検出された場合には、前記記憶手段に既に記憶されている数値を消去して、押下された入力キーに対応付けられた数値を前記記憶手段に記憶させるテンキー数値設定手段とを備えることを特徴とする入力装置。
【請求項２】
前記状態検出手段は、前記第１の状態と前記第２の状態と、前記記憶手段に記憶されている数値が最後に前記テンキー入力手段によって入力されたものである第３の状態とのいずれの状態に本装置があるかを検出し、
前記テンキー数値設定手段は、前記テンキー入力手段の入力キーが押下されたことを受け付けた場合で、且つ前記状態検出手段により前記第３の状態が検出された場合には、前記記憶手段に記憶されている数値が１桁繰り上がるようにシフトされて、その数値が前記記憶手段に記憶可能な桁数を超えないならば、その数値をシフトして前記押下された入力キーに対応付けられた数値をその最下桁とした数値を前記記憶手段に記憶させることを特徴とする請求項１に記載の入力装置。
【請求項３】
前記テンキー数値設定手段は、前記テンキー入力手段の入力キーが押下されたことを受け付けた場合で、且つ前記状態検出手段により前記第３の状態が検出された場合には、前記記憶手段に記憶されている数値が１桁繰り上がるようにシフトされて、その数値が前記記憶手段に記憶可能な桁数を超えるならば、その数値をシフトして前記押下された入力キーに対応付けられた数値をその最下桁とすると共に前記記憶手段が記憶可能な桁数を越えた最上桁を消去した数値を前記記憶手段に記憶させることを特徴とする請求項１又は２に記載の入力装置。
【請求項４】
前記ワンタッチ入力手段の入力キーが押下されたことを受け付けた場合に、前記記憶手段に既に記憶されている数値に、前記押下されたワンタッチ入力手段の入力キーに対応付けられた数値を加算した数値を前記記憶手段に記憶させる加算数値設定手段と、
前記ワンタッチ入力手段の入力キーが押下されたことを受け付けた場合に、前記ワンタッチ数値設定手段又は前記加算数値設定手段のいずれを動作させるかを操作者が切り替える切替手段とを備えることを特徴とする請求項１〜３のいずれかに記載の入力装置。
【請求項５】
予め定められた数値に対応付けられた入力キーを１つ以上備えるワンタッチ入力手段と、
０〜９の数値にそれぞれ対応付けられた１０個の入力キーを備えるテンキー入力手段と、
前記ワンタッチ入力手段又は／及び前記テンキー入力手段が押下されたことに基づく数値を記憶する記憶手段と、
前記記憶手段に記憶された数値に基づいて、所定の動作を実行する動作手段と、
前記ワンタッチ入力手段の入力キーが押下されたことを受け付けた場合に、前記記憶手段に既に記憶されている数値を消去して、押下されたワンタッチ入力手段の入力キーに対応付けられた数値を前記記憶手段に記憶させるワンタッチ数値設定手段と、
前記記憶手段に記憶されている数値が前記ワンタッチ入力手段又は前記テンキー入力手段により入力されたものではない第１の状態と、前記記憶手段に記憶されている数値が最後に前記ワンタッチ入力手段によって入力されたものである第２の状態とのいずれかの状態に本装置があるか否かを検出する状態検出手段と、
前記テンキー入力手段の入力キーが押下されたことを受け付けた場合で、且つ前記状態検出手段により前記第１又は第２の状態が検出された場合には、前記記憶手段に既に記憶されている数値を消去して、押下された入力キーに対応付けられた数値を前記記憶手段に記憶させるテンキー数値設定手段とを備えることを特徴とする機器システム。
【発明の詳細な説明】
【技術分野】
【０００１】
本発明は、機器に対する数値の入力を行うための入力装置、及びその機器と入力装置からなる機器システムに関する。
【背景技術】
【０００２】
従来、例えば画像形成装置に対して、複写部数等の数値を入力する場合には、画像形成装置に備えられたテンキーを押下することにより数値を入力する。この場合、デフォルト値（通常は「１」）が設定されている状態では、このデフォルト値が押下されたテンキーに対応した数値に置き換えられる。テンキーで入力された数値が設定されている状態では、設定されている数値が一桁上位にシフトされて、押下されたテンキーに対応した数値が１桁目に記入される。例えば「１」がテンキーにより入力されている場合に「１」をテンキーにより入力すると、「１１」が設定されることとなる。複数回テンキーを押下した場合、設定可能な桁数（例えば３桁）を越えてシフトされた数は無効となる。つまり３桁が設定可能な場合で「１１」が設定されている状態において「０」を２回入力すると、最上位桁の「１」は無効となり「１００」が設定される。また、キャンセルキー等を押下することにより設定値をデフォルト値に戻すことができる。
【０００３】
また、例えば下記特許文献１には、画像形成装置にワンタッチキーを設け、ワンタッチキーの操作に基づいて、そのワンタッチキーに対応する番号を、コピー部数に加算して設定する画像形成装置について記載されている。また、例えば下記特許文献２には、テンキーで枚数が設定されているときに、複写開始キーを複数回押下するとその押下回数が枚数に加算されて設定される画像形成装置が記載されている。画像形成装置においては、このような数値入力が行われている。
【特許文献１】特開２００１−２２３８２９号公報
【特許文献２】特開平５−１８８７０１号公報
【発明の開示】
【発明が解決しようとする課題】
【０００４】
しかし、上述の数値入力方法においては、（３桁まで設定可能な場合に）既に３桁の数値が設定されている場合に新たに１桁の数値を設定しようとすると、キャンセルキーを押下してからテンキーにより数値を入力するか、先頭に「００」を含めた３桁の数値を入力する必要があり、少なくとも２回のキー操作（押下）が必要となる。
【０００５】
本発明は、上記問題点に鑑みて成されたもので、よく使用する数に対しては、１回のキー操作で機器に対して数値を再設定可能とする入力装置及び機器システムを提供することを目的とする。
【課題を解決するための手段】
【０００６】
請求項１に係る入力装置は、予め定められた数値に対応付けられた入力キーを１つ以上備えるワンタッチ入力手段と、０〜９の数値にそれぞれ対応付けられた１０個の入力キーを備えるテンキー入力手段と、前記ワンタッチ入力手段又は／及び前記テンキー入力手段により入力された数値を記憶する記憶手段と、前記ワンタッチ入力手段の入力キーが押下されたことを受け付けた場合に、前記記憶手段に既に記憶されている数値を消去して、押下されたワンタッチ入力手段の入力キーに対応付けられた数値を前記記憶手段に記憶させるワンタッチ数値設定手段と、前記記憶手段に記憶されている数値が前記ワンタッチ入力手段又は前記テンキー入力手段により入力されたものではない第１の状態と、前記記憶手段に記憶されている数値が最後に前記ワンタッチ入力手段によって入力されたものである第２の状態とのいずれかの状態に本装置があるか否かを検出する状態検出手段と、前記テンキー入力手段の入力キーが押下されたことを受け付けた場合で、且つ前記状態検出手段により前記第１又は第２の状態が検出された場合には、前記記憶手段に既に記憶されている数値を消去して、押下された入力キーに対応付けられた数値を前記記憶手段に記憶させるテンキー数値設定手段とを備えることを特徴とする。
【０００７】
請求項２に係る入力装置は、請求項１に記載の入力装置であって、前記状態検出手段は、前記第１の状態と前記第２の状態と、前記記憶手段に記憶されている数値が最後に前記テンキー入力手段によって入力されたものである第３の状態とのいずれの状態に本装置があるかを検出し、前記テンキー数値設定手段は、前記テンキー入力手段の入力キーが押下されたことを受け付けた場合で、且つ前記状態検出手段により前記第３の状態が検出された場合には、前記記憶手段に記憶されている数値が１桁繰り上がるようにシフトされて、その数値が前記記憶手段に記憶可能な桁数を超えないならば、その数値をシフトして前記押下された入力キーに対応付けられた数値をその最下桁とした数値を前記記憶手段に記憶させることを特徴とする。
【０００８】
請求項３に係る入力装置は、請求項１又は２に記載の入力装置であって、前記テンキー数値設定手段は、前記テンキー入力手段の入力キーが押下されたことを受け付けた場合で、且つ前記状態検出手段により前記第３の状態が検出された場合には、前記記憶手段に記憶されている数値が１桁繰り上がるようにシフトされて、その数値が前記記憶手段に記憶可能な桁数を超えるならば、その数値をシフトして前記押下された入力キーに対応付けられた数値をその最下桁とすると共に前記記憶手段が記憶可能な桁数を越えた最上桁を消去した数値を前記記憶手段に記憶させることを特徴とする。
【０００９】
請求項４に係る入力装置は、請求項１〜３のいずれかに記載の入力装置であって、前記ワンタッチ入力手段の入力キーが押下されたことを受け付けた場合に、前記記憶手段に既に記憶されている数値に、前記押下されたワンタッチ入力手段の入力キーに対応付けられた数値を加算した数値を前記記憶手段に記憶させる加算数値設定手段と、前記ワンタッチ入力手段の入力キーが押下されたことを受け付けた場合に、前記ワンタッチ数値設定手段又は前記加算数値設定手段のいずれを動作させるかを操作者が切り替える切替手段とを備えることを特徴とする。
【００１０】
請求項５に係る機器システムは、予め定められた数値に対応付けられた入力キーを１つ以上備えるワンタッチ入力手段と、０〜９の数値にそれぞれ対応付けられた１０個の入力キーを備えるテンキー入力手段と、前記ワンタッチ入力手段又は／及び前記テンキー入力手段が押下されたことに基づく数値を記憶する記憶手段と、前記記憶手段に記憶された数値に基づいて、所定の動作を実行する動作手段と、前記ワンタッチ入力手段の入力キーが押下されたことを受け付けた場合に、前記記憶手段に既に記憶されている数値を消去して、押下されたワンタッチ入力手段の入力キーに対応付けられた数値を前記記憶手段に記憶させるワンタッチ数値設定手段と、前記記憶手段に記憶されている数値が前記ワンタッチ入力手段又は前記テンキー入力手段により入力されたものではない第１の状態と、前記記憶手段に記憶されている数値が最後に前記ワンタッチ入力手段によって入力されたものである第２の状態とのいずれかの状態に本装置があるか否かを検出する状態検出手段と、前記テンキー入力手段の入力キーが押下されたことを受け付けた場合で、且つ前記状態検出手段により前記第１又は第２の状態が検出された場合には、前記記憶手段に既に記憶されている数値を消去して、押下された入力キーに対応付けられた数値を前記記憶手段に記憶させるテンキー数値設定手段とを備えることを特徴とする。
【発明の効果】
【００１１】
請求項１又は５に記載の発明によれば、ワンタッチ入力手段の備える入力キー（以下、ワンタッチキーという。）が操作者により押下された場合には、記憶手段に記憶されている数値が消去（キャンセル）されて、押下されたワンタッチキーに対応付けられた数値が記憶手段に記憶され、テンキー入力手段の備える入力キー（以下、テンキーという。）が操作者により押下された場合で、且つ記憶手段に記憶されている数値がワンタッチキー又はテンキー入力によるものでない場合又は最後にワンタッチキーにより入力されたものである場合には、記憶手段に既に記憶されている数値が消去されて、押下されたテンキーに対応付けられた数値が前記記憶手段に記憶されるので、テンキー又はワンタッチキーを用いることにより新たに数値を設定できると共に、ワンタッチキーに対応付けられた数値に関してはワンタッチキーを用いることにより１回のキー操作で再設定することができ、より少ないキー操作で数値を再設定することができる。また、ワンタッチキーが有しない数値をテンキーにより設定することができ、操作性を向上させることができる。
【００１２】
請求項２に記載の発明によれば、テンキーが操作者により押下された場合で、且つ記憶手段に記憶されている数値が最後にテンキーにより入力されたものである場合には、記憶手段に記憶されている数値が１桁繰り上がるようにシフトされて、その数値が記憶手段に記憶可能な桁数を超えないならば、その数値をシフトして押下された入力キーに対応付けられた数値をその最下桁とした数値が前記記憶手段に記憶されるので、テンキーの組合せによりより多くの数値を設定することができ、操作性を向上させることができる。
【００１３】
請求項３に記載の発明によれば、テンキーが操作者により押下された場合で、且つ記憶手段に記憶されている数値が最後にテンキーにより入力されたものである場合には、記憶手段に記憶されている数値が１桁繰り上がるようにシフトされて、その数値が記憶手段に記憶可能な桁数を超えるならば、その数値をシフトして押下された入力キーに対応付けられた数値をその最下桁とすると共に記憶可能な桁数を越えた最上桁を消去した数値が前記記憶手段に記憶されるので、テンキーのみを用いて可能な全ての数値を入力でき、操作性を向上させることができる。
【００１４】
請求項４に記載の発明によれば、操作者によりワンタッチ数値設定手段又は加算数値設定手段のいずれを動作させるかが切り替えられ、ワンタッチ数値設定手段が動作される場合には、ワンタッチキーが操作者により押下された場合に、記憶手段に記憶されている数値が、押下されたワンタッチキーに対応付けられた数値で置き換えられ、加算数値設定手段が動作される場合には、ワンタッチキーが操作者により押下された場合に、記憶手段に記憶されている数値に、押下されたワンタッチキーに対応付けられた数値を加算した数値が記憶手段に記憶されるので、ワンタッチキーに対応付けられた数値を既に設定された数値に加算したい場合については１回のキー操作によりこれを行うことができ、より少ないキー操作で数値を設定することができる。また、加算数値設定手段が動作される場合には、テンキーの数値については、１回のキー操作でその数値を設定できるので、より少ないキー操作で数値を設定することができる。
【発明を実施するための最良の形態】
【００１５】
以下、本発明の一実施形態における入力装置を備えた画像形成装置（機器システム）について図面を参照しながら説明する。図１は、本発明の一実施形態に係る入力装置を備えた画像形成装置の一例である複写機の内部構成を概略的に示す側面図である。画像形成装置１は、本体部１ａと、本体部１ａの左方に配設されたスタックトレイ１ｂと、本体部１ａの上部に配設された原稿読取部１ｃと、原稿読取部１ｃの上方に配設された原稿給送部１ｄとを有している。
【００１６】
また、画像形成装置１のフロント部には、画像形成装置１の備える入力装置のユーザインターフェイス部２１（図３参照）が設けられている。ユーザインターフェイス部２１の詳細については後述する。原稿読取部１ｃは、ＣＣＤ(Charge Coupled Device)センサ及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを画像形成制御部（図示省略）へ出力する。また、原稿給送部１ｄにより給送された原稿を読み取るときは、原稿読取スリット５３と対向する位置に移動され、原稿読取スリット５３を介して原稿給送部１ｄによる原稿の搬送動作と同期して原稿の画像を取得し、その画像データを画像形成制御部へ出力する。
【００１７】
原稿給送部１ｄは、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００１８】
また、原稿給送部１ｄは、その前面側が上方に移動可能となるように本体部１ａに対して回動自在に設けられている。原稿給送部１ｄの前面側を上方に移動させて原稿台５２上面を開放することにより、原稿台５２の上面に読み取り原稿、例えば見開き状態にされた書籍等を操作者が載置できるようになっている。
【００１９】
本体部１ａは、それぞれ用紙種（両面に印刷が可能な普通紙、片面のみに印刷が可能な再利用紙等）やサイズが異なる記録紙を収納する複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。なお、各給紙カセット４６１に収容されている用紙種及び用紙サイズは画像形成制御部に記憶されており、操作者が印刷に用いる用紙種を設定すると、その用紙種が収容されている給紙カセット４６１から記録紙が給紙されるようになっている。
【００２０】
記録部４０は、スキャナ部５１で取得された画像データに基づきレーザ光等を出力して感光体ドラム４３を露光する光学ユニット４２と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられ、記録紙をスタックトレイ１ｂ又は排出トレイ４８まで搬送する搬送ローラ４６３，４６４等とを備える。
【００２１】
図２は、本実施形態における入力装置２を備える画像形成装置１の機能構成を示すブロック図である。画像形成装置１は、入力装置２及び画像形成部１１を備える。画像形成部１１は、例えば記録紙に対して画像形成動作を行うもので、画像形成装置１における入力装置２以外の全ての部分を含むものである。画像形成部１１は、例えば原稿から画像を読み取り、記録紙に印刷した後、記録紙を出力する複写動作を行う。画像形成部１１は、複写動作に対する設定（本実施形態においては、複写動作に対する設定として複写部数の設定のみを取り扱う。）及び複写開始の指示を入力装置２から受信した場合に、その設定内容（例えば複写部数）に基づき複写動作を行う。より正確には、画像形成部１１は、ユーザインターフェイス部２１から複写開始の指示を受信した場合に、部数記憶部２２から複写部数を読み出し、その複写部数分の複写を行う。
【００２２】
入力装置２は、画像形成装置１の操作部で、画像形成装置１に対する操作者の指示を受け付けるためのものである。入力装置２は、主に複写動作に対する各種設定（本実施形態においては、複写部数の設定のみを説明する。）及び複写開始の指示を受け付ける。入力装置２は、受け付けた設定を随時、記憶する。また、入力装置２は、複写開始の指示を受け付けた場合に、複写開始の指示及び記憶している設定内容を画像形成部１１に送信する。入力装置２は、ユーザインターフェイス部２１、部数記憶部２２及び制御部３を備える。
【００２３】
ユーザインターフェイス部２１は、例えば図３に示す外観を有するもので、入力装置２（或いは画像形成装置１）のユーザインターフェイスである。ユーザインターフェイス部２１は、各種入力キー２１１及びディスプレイ２１２を備える。入力キー２１１は例えばテンキー２１１１、リセットキー２１１２、クリアキー２１１３及びスタートキー２１１４である。テンキー２１１１は、０から９の数字にそれぞれ対応付けられた複数のキーの集合で、数値を入力するために用いられる。リセットキー２１１２は、操作者が画像形成装置１に対して設定可能な全設定項目をデフォルト値に戻すためのキーである。クリアキー２１１３は、操作者が現在設定中の１設定項目（例えば部数設定のみ）に対してのみの設定をデフォルト値に戻すためのキーでである。スタートキー２１１４は複写開始を複写機に指示するためのキーである。
【００２４】
ディスプレイ２１２は、例えばタッチパネル機能を有するタッチパネルディスプレイであって、メッセージ等を表示すると共に、入力キーを表示し、これが押下されることを検知することで入力キーとしても用いられる。以下にディスプレイに表示されている主なキーについての説明を行う。入力装置２は複数の入力モード（例えば濃度設定モード、縮小／拡大モード、用紙設定モード及び部数設定モード）を有し、入力モードを切り替えるための各入力モードに対応したキー（例えば濃度設定キー２１２１、縮小／拡大キー２１２２、用紙設定キー２１２３及び部数設定キー２１２４）を備える。部数設定キー２１２４が押下され、入力モードが部数設定モードとなっている場合にテンキー２１１１が押下された場合には、テンキー２１１１で入力された数字が部数として設定される。現在設定されている部数は領域２１２５に表示される。
【００２５】
また、ワンタッチキー機能切替キー２１２７はワンタッチ部数キー２１２６の機能を切り替えるためのキーで、押下されるごとにワンタッチ部数キーの機能を置換モードと加算モードとの間で切り替える。押下された場合の移行先のモードがワンタッチキー機能切替キー２１２７の括弧内に表示されている。つまり現在置換モードである場合にはワンタッチキー機能切替キー２１２７の括弧内には「加算」と表示され、現在加算モードである場合にはワンタッチキー機能切替キー２１２７の括弧内には「置換」と表示される。ここで、置換モードとは、押下されたワンタッチ部数キー２１２６の部数がそのまま部数として設定されるモードで、加算モードとは、、押下されたワンタッチ部数キー２１２６の部数が現在設定されている部数に加算された部数が部数として設定されるモードである。
【００２６】
入力装置２の任意の入力モードにおいて、ワンタッチ部数キー２１２６のいずれかが押下された場合には、入力装置２の入力モードは部数設定モードとなり、押下されたワンタッチ部数キー２１２６に対応した部数が、現在のワンタッチ部数キー２１２６の機能に従って、現在設定されている部数と置換（置換モードである場合）又は加算（加算モードである場合）されて新たに本画像形成装置１の複写部数として設定される。つまり、置換モードである場合には、押下されたワンタッチ部数キー２１２６の部数がそのまま部数として設定される。また、加算モードである場合には、押下されたワンタッチ部数キー２１２６の部数が現在設定されている部数に加算された部数が部数として設定される。
【００２７】
ユーザインターフェイス部２１は、テンキー２１１１が押下されたことを受け付けた場合には、押下されたテンキーの番号を入力値送信先切替部３３に送信する。ユーザインターフェイス部２１は、リセットキーが２１１２が押下されたことを受け付けた場合には、その旨を各設定部（例えば部数設定部３４、濃度設定部（図示省略）、縮小／拡大設定部（図示省略）及び用紙設定部（図示省略））に送信する。ユーザインターフェイス部２１は、クリアキー２１１３が押下されたことを受け付けた場合には、その旨を入力値送信先切替部３３に送信する。ユーザインターフェイス部２１は、スタートキー２１１４が押下されたことを受け付けた場合には、複写開始の指示を画像形成部１１に送信する。
【００２８】
ユーザインターフェイス部２１は、各入力モードに対応したキー（例えば濃度設定キー２１２１、縮小／拡大キー２１２２、用紙設定キー２１２３又は部数設定キー２１２４）が押下されたことを受け付けた場合には、その旨を入力モード切替部３２に送信する。ユーザインターフェイス部２１は、ワンタッチキー機能切替キー２１２７が押下されたことを受け付けた場合には、ワンタッチ部数キー機能切替部３１にその旨を送信する。ユーザインターフェイス部２１は、ワンタッチ部数キー２１２６が押下されたことを受け付けた場合には、部数設定部３４に押下されたキーに対応する部数値を送信する。
【００２９】
図２に戻って、部数記憶部２２は、ユーザインターフェイス部２１を用いられて設定された複写部数を記憶するもので、例えばＲＡＭ（ランダムアクセスメモリ）からなる。
【００３０】
制御部３は、入力装置２を制御するもので、例えばＣＰＵ（中央処理装置）及びプログラムを格納するＲＯＭ（リードオンリーメモリ）、データを格納するＲＡＭ等から構成される。制御部３は、ワンタッチ部数キー機能切替部３１、入力モード切替部３２、入力値送信先切替部３３、部数設定部３４及びキー入力状態管理部３５を備える。
【００３１】
ワンタッチ部数キー機能切替部３１は、ユーザインターフェイス部２１からワンタッチキー機能切替キー２１２７が押下されたことを受信した場合に、ワンタッチ部数キーの機能（モード）を置換モードと加算モードのいずれかに切り替える。ワンタッチ部数キー機能切替部３１は、現在の機能モードを記憶、保持する。機能モードのデフォルト値は例えば置換モードである。
【００３２】
入力モード切替部３２は、ユーザインターフェイス部２１から各設定キー（例えば濃度設定キー２１２１、縮小／拡大キー２１２２、用紙設定キー２１２３又は部数設定キー２１２４）のいずれかが押下されたことを受信した場合に、押下されたキーに対応するモード（例えば濃度設定モード、縮小／拡大モード、用紙設定モード又は部数設定モード）に入力モードを切り替える。入力モード切替部３２は、現在の入力モードを記憶、保持する。入力モードのデフォルト値は例えば部数設定モードである。
【００３３】
入力値送信先切替部３３は、テンキー２１１１の数値又はクリアキー２１１３が押下されたことをユーザインターフェイス部２１から受信した場合に、入力モード切替部３２に記憶された入力モードをチェックし、入力モードに応じた設定部（例えば現在部数設定モードであれば部数設定部３４）に、ユーザインターフェイス部から受信したテンキー２１１１の数値又はクリアキー２１１３が押下されたことを送信する。
【００３４】
キー入力状態管理部３５は、部数設定に関する現在のキー入力状態として３つのキー入力状態（部数記憶部２２に記憶されている部数値がテンキー２１１１又はワンタッチ部数キー２１２６によって設定されたものでない第１の状態（デフォルト値として設定された状態）、部数記憶部２２に記憶されている部数値が最後にワンタッチ部数キー２１２６によって設定されたものである第２の状態、部数記憶部２２に記憶されている部数値が最後にテンキー２１１１によって設定されたものである第３の状態のいずれかを記憶するものである。キー入力状態管理部３５は、テンキー２１１１、ワンタッチ部数キー２１２６、リセットキー２１１２、クリアキー２１１３のいずれかが（部数設定として）押下された旨を部数設定部３４から受信した場合に、上記の３状態を切り替え、現在の状態を記憶する。キー入力状態管理部３５は、画像形成装置１の立ち上げ時の初期値として第１の状態であることを記憶する。キー入力状態管理部３５は、リセットキー２１１２又はクリアキー２１１３が押下された旨を部数設定部３４から受信した場合には第１の状態であることを記憶する。キー入力状態管理部３５は、ワンタッチ部数キー２１２６が押下された旨を部数設定部３４から受信した場合には第２の状態であることを記憶する。キー入力状態管理部３５は、テンキー２１１１が押下された旨を部数設定部３４から受信した場合には第３の状態であることを記憶する。
【００３５】
部数設定部３４は、入力値送信先切替部３３からテンキー２１１１の数値を受信した場合には、まず、キー入力状態管理部３５から現在のキー入力状態を取得する。現在のキー入力状態が第１の状態（部数記憶部２２に記憶されている部数値がデフォルト値として設定されたものである状態）又は第２の状態（部数記憶部２２に記憶されている部数値が最後にワンタッチ部数キー２１２６によって設定されたものである状態）である場合には、部数設定部３４は、部数記憶部２２に記憶されている部数値を読み出し、読み出した部数値に、入力値送信先切替部３３から受信したテンキー２１１１の数値を上書きする。現在のキー入力状態が第３の状態（部数記憶部２２に記憶されている部数値が最後にテンキー２１１１によって設定されたものである状態）である場合には、部数設定部３４は、部数記憶部２２に記憶されている部数値を読み出し、読み出した部数値の各桁を上位に１桁ずつシフトさせ（この際最上桁の値は消滅する）、この最下桁に、入力値送信先切替部３３から受信したテンキー２１１１の数値を書き込んだ数値を新たな部数値として部数記憶部２２に書き込む。部数設定部３４は、部数記憶部２２の数値を書き換えた後に、テンキー２１１１が押下された旨をキー入力状態管理部３５に送信する。
【００３６】
部数設定部３４は、入力値送信先切替部３３からクリアキー２１１３が押下されたことを受信した場合には、部数記憶部２２の内容をデフォルト値（例えば「００１」）に書き換える。部数設定部３４は、部数記憶部２２の数値を書き換えた後に、クリアキー２１１３が押下された旨をキー入力状態管理部３５に送信する。
【００３７】
部数設定部３４は、ユーザインターフェイス部２１からワンタッチ部数キー２１２６の部数を受信した場合には、まず、ワンタッチ部数キー機能切替部３１に記憶されている機能モードをチェックする。この機能モードが置換モードである場合には、部数設定部３４は、ユーザインターフェイス部２１から受信したワンタッチ部数キーの部数を部数記憶部２２に上書きして書き込む。機能モードが加算モードである場合には、部数設定部３４は、部数記憶部２２から部数値を読み出し、ユーザインターフェイス部２１から受信したワンタッチ部数キーの部数を、部数記憶部２２から読み出した部数値に加算してその結果値を部数記憶部２２に書き込む。部数設定部３４は、部数記憶部２２の数値を書き換えた後に、ワンタッチ部数キー２１２６が押下された旨をキー入力状態管理部３５に送信する。
【００３８】
部数設定部３４は、リセットキーが押下されたことをユーザインターフェイス部２１から受信した場合には、部数記憶部２２の内容をデフォルト値に書き換える。部数設定部３４は、部数記憶部２２の数値を書き換えた後に、リセットキー２１１２が押下された旨をキー入力状態管理部３５に送信する。
【００３９】
次に制御部における処理の流れを図４を用いて説明する。図４は、制御部の処理の流れを示すフローチャートである。本フローチャートにおいては、既に部数設定キー２１２４が押下され、部数設定モードが選択されているものとする。
【００４０】
ステップＳ１では、画像形成装置１の立ち上げ時の初期設定として、ワンタッチ部数キー機能切替部３１は、ワンタッチ部数キー２１２６の機能を、デフォルトモードである置換モードに設定する。ステップＳ２では、ユーザインターフェイス部２１は、ワンタッチキー機能切替キー２１２７が押下されたことを受け付けたか否かをチェックし、受け付けた場合には（ステップＳ２でＹＥＳ）、ステップＳ３へ進む。ステップＳ３では、ユーザインターフェイス部２１は、ワンタッチキー機能切替キー２１２７が押下された旨をワンタッチ部数キー機能切替部３１に送信する。ワンタッチ部数キー機能切替部３１は、これを受けて自身の記憶する機能モードを見て現在の機能モードが置換モードであるか加算モードであるかをチェックする。現在の機能モードが置換モードである場合には（ステップＳ３で置換）、ステップＳ４へ進む。ステップＳ４では、ワンタッチ部数キー機能切替部３１は、自身の記憶する機能モードを加算モードに書き換える。
【００４１】
ステップＳ３の分岐において、現在の機能モードが加算モードである場合には（ステップＳ３で加算）、ステップＳ５へ進む。ステップＳ５では、ワンタッチ部数キー機能切替部３１は、自身の記憶する機能モードを置換モードに書き換える。ステップＳ２の分岐においてワンタッチキー機能切替キーの押下を受け付けなかった場合（ステップＳ２でＮＯ）、ステップＳ４の処理が終了した場合、及びステップＳ５の処理が終了した場合には、ステップＳ６へ進む。
【００４２】
ステップＳ６では、ユーザインターフェイス部２１は、テンキー２１１１のいずれかが押下されたことを受け付けたか否かをチェックし、受け付けた場合には（ステップＳ６でＹＥＳ）、ステップＳ７へ進む。ステップＳ７では、ユーザインターフェイス部２１は、押下されたテンキー２１１１の数値を入力値送信先切替部３３に送信する。入力値送信先切替部３３はテンキー２１１１の数値を受信した場合には、入力モード切替部３２に現在の入力モードを問い合わせる。これに対して入力モード切替部３２は現在の入力モード（ここでは、部数設定モード）を入力値送信先切替部３３に送信する。入力値送信先切替部３３は現在の入力モードが部数設定モードであるならば、ユーザインターフェイス部２１から受信したテンキーの数値を部数設定部３４に送信する。現在のモードが部数設定モードでない場合には、入力値送信先切替部３３はユーザインターフェイス部２１から受信したテンキー２１１１の番号を現在の入力モードに対応した設定部（図示省略）、例えば濃度設定モードの場合には濃度設定部（図示省略）に送信する。ここでは、部数設定以外の入力モードにおける処理については説明を省略する。部数設定部３４は、キー入力状態管理部３５から現在のキー入力状態を取得し、現在のキー入力状態が第３の状態（部数記憶部２２に記憶されている部数値が最後にテンキーにより入力されたものである状態）である場合には（ステップＳ７で第３）、ステップＳ８へ進む。
【００４３】
ステップＳ８では、部数設定部３４は、入力値送信先切替部３３からテンキー２１１１の番号を受信した場合には、部数記憶部２２に記憶されている部数値を読み出し、この部数値の各桁の数値を上位に１桁ずつシフトし（このとき、最上桁の数値は消滅する。）、受信したテンキーの番号を最下桁に記入した結果の数値を部数記憶部２２に書き込む。つまり、例えば部数記憶部２２に記憶されている部数が「１２３」である場合にテンキーの数値「４」を受信した場合には「２３４」を部数記憶部２２に書き込む。ステップＳ７において現在のキー入力状態が第１の状態（部数記憶部２２に記憶されている部数値がデフォルト値として記憶されたものである状態）又は第２の状態（部数記憶部２２に記憶されている部数値が最後にワンタッチ部数キーにより入力されたものである状態）である場合には（ステップＳ７で第１、第２）、ステップＳ９へ進む。ステップＳ９では、部数設定部３４は、入力値送信先切替部３３からテンキー２１１１の番号を受信した場合には、ユーザインターフェイス部２１から受信したテンキー２１１１の番号を部数記憶部２２に（現在記憶されている部数値に上書きして）書き込む。ステップＳ１０では、部数設定部３４はキー入力状態管理部３５にテンキーが入力された旨を送信し、キー入力状態管理部３５は、キー入力状態に第３の状態であることを設定する。
【００４４】
ステップＳ６の分岐において、テンキーの押下を受け付けなかった場合には（ステップＳ６でＮＯ）、ステップＳ１１へ進む。ステップＳ１１では、ユーザインターフェイス部２１は、ワンタッチ部数キー２１２６のいずれかが押下されたことを受け付けたか否かをチェックし、受け付けた場合には（ステップＳ１１でＹＥＳ）、ステップＳ１２へ進む。ステップＳ１２では、ユーザインターフェイス部２１は、押下されたワンタッチ部数キー２１２６に対応付けられた部数値を部数設定部３４に送信する。部数設定部３４は、ユーザインターフェイス部２１からワンタッチ部数キー２１２６の部数値を受信した場合には、ワンタッチ部数キー機能切替部３１に現在のワンタッチ部数キー２１２６の機能を問い合わせる。これに対して、ワンタッチ部数キー機能切替部３１は現在の機能モード（置換モード又は加算モード）を部数設定部３４に送信する。この機能モードが置換モードである場合には（ステップＳ１２で置換）、ステップＳ１３へ進む。
【００４５】
ステップＳ１３では、部数設定部３４は、ユーザインターフェイス部２１から受信したワンタッチ部数キー２１２６の部数値を部数記憶部２２に（現在記憶されている部数値に上書きして）書き込む。ステップＳ１２で、現在の機能モードが加算モードである場合には（ステップＳ１２で加算）、ステップＳ１４へ進む。ステップＳ１４では、部数設定部３４は、部数記憶部２２に記憶されている部数値を読み出し、この値にユーザインターフェイス部２１から受信したワンタッチ部数キー２１２６の部数値を加算し、加算結果の値を部数記憶部２２に書き込む。ステップＳ１５では、部数設定部３４はキー入力状態管理部３５にワンタッチ部数キーが入力された旨を送信し、キー入力状態管理部３５は、キー入力状態に第２の状態であることを設定する。
【００４６】
ステップＳ１１の分岐において、ワンタッチ部数キーが押下されたことを受け付けなかった場合には（ステップＳ１１でＮＯ）、ステップＳ１６へ進む。ステップＳ１６では、ユーザインターフェイス部２１は、スタートキー２１１４が押下されたことを受け付けたか否かをチェックし、受け付けた場合には（ステップＳ１６でＹＥＳ）、ステップＳ１７へ進む。ステップＳ１７では、ユーザインターフェイス部２１は、スタートキー２１１４が押下された旨を画像形成部１１に送信する。画像形成部１１はユーザインターフェイス部２１からスタートキー２１１４が押下された旨を受信した場合には、部数記憶部２２に記憶されている部数を読み出し、この部数分の複写を実行する。ステップＳ１６の分岐においてスタートキーの押下を受け付けなかった場合には（ステップＳ１６でＮＯ）、ステップＳ２に戻り複写部数の設定処理を繰り返す。複写部数の設定が完了した後、スタートキー２１１４を押下すると、画像形成部１１は、上記複写部数分の複写を行う。
【００４７】
このように本実施形態によれば、複写部数の設定において、ワンタッチキー機能切替キー２１２７により置換モードが設定されている場合には、テンキー２１１１による部数設定においては、既に（テンキーにより）設定されている部数が桁上がりして新たに入力した数値がその最下桁に記入される方法で部数が入力され、ワンタッチ部数キー２１２６による部数設定においては、既に設定されている部数をキャンセルして、ワンタッチ部数キー２１２６により入力された部数が新たに設定される。また、ワンタッチキー機能切替キー２１２７により加算モードが設定されている場合には、テンキー２１１１による部数設定においては、既に（テンキーにより）設定されている部数が桁上がりして新たに入力した数値がその最下桁に記入される方法で部数が入力され、ワンタッチ部数キー２１２６による部数設定においては、既に設定されている部数に、ワンタッチ部数キー２１２６により入力された部数が加算された値が新たに設定される。また、よく使用される部数及び、加算したいとよく思われる部数をワンタッチ部数キーとして設けた。これにより、よく使用する部数を入力するとき、又は加算したいとよく思われる部数を加算するときには、より少ないキー操作で部数を入力することができる。そして、効率のよい複写作業を行うことができる。
【００４８】
なお、本発明は、上記実施形態のものに限定されるものではなく、以下に述べる態様を採用することができる。本実施形態においては、複写機における複写部数の設定を例にとって本発明に係る入力装置及び画像形成装置を説明したが、ワンタッチ部数キー（ワンタッチキー）は必ずしも部数を設定するものである必要はなく、数値を設定する必要のある機能に対してその数値の設定を行うものであれば何でもよい。例えば縮小／拡大機能において倍率値を設定するものであってもよい。また、機器システムは、複写機等の画像形成装置である必要はなく、キー操作により入力された数値に基づいて、動作するものであればよい。また、例えば、工場設備のように、入力部分と動作部分とが離れた場所にあるようなものでもよい。入力装置は、キー操作により数値を入力するものであればよく、画像形成装置以外の電気機器と一体に、或いは離れた場所に備えられるもの、例えば電子レンジのタイマ設定、工場設備の操作盤や、制御用コンピュータによる動作条件設定であってもよい。
【図面の簡単な説明】
【００４９】
【図１】本発明の一実施形態における画像形成装置の機械的構成を示す側面概略図である。
【図２】本発明の一実施形態における画像形成装置の機能構成を示すブロック図である。
【図３】本発明の一実施形態における画像形成装置の操作部の外観を示す図である。
【図４】本発明の一実施形態における入力装置の処理の流れを示すフローチャートである。
【符号の説明】
【００５０】
１  複写機（機器システム）
１１  画像形成部（動作手段）
２  入力装置
２１１１  テンキー（テンキー入力手段）
２１２６  ワンタッチ部数キー（ワンタッチ入力手段）
２２  部数記憶部（記憶手段）
３１  ワンタッチ部数キー機能切替部（切替手段）
３４  部数設定部（ワンタッチ数値設定手段、テンキー数値設定手段、加算数値設定手段）
３５  キー入力状態管理部（状態検出手段）
【図１】
2005352957.tif 000003
【図２】
2005352957.tif 000004
【図３】
2005352957.tif 000005
【図４】
2005352957.tif 000006